(57)【要約】【課題】  取扱いが容易で、しかも金庫等の持ち去りを阻止できる盗難防止装置を提供する。【解決手段】  盗難防止装置１０は、収納ケース１を設置面２に対して滑走自在に支持できる複数の車輪３と、総ての車輪３を収納ケース１の下端部４に出没自在に支持する車輪進退手段５と、収納ケース１を設置面２に固定する固定手段６とを備える。盗難防止装置１０によれば、収納ケース１が不当な手段によって持ち去られるのを確実に阻止できる。しかも、収納ケース１を開錠により正しく開放し、固定手段６を解除すれば、収納ケース１の移送、設置、又は撤去の作業を容易に行える。【選択図】  図１
2006089993.tif 000002
【特許請求の範囲】
【請求項１】
下端部を有し、開錠により内部を開放できる収納ケースを、該収納ケースが設置される設置面に滑走自在に支持する複数の車輪と、
前記複数の車輪を、前記収納ケースの下端部の下方へ前進、又は前記下端部へ向けて後退させる車輪進退手段とを備え、
前記複数の車輪が前記収納ケースの下端部の下方へ前進した状態で、前記収納ケースが前記複数の車輪によって前記設置面の上方に支持され、
前記複数の車輪が前記収納ケースの下端部へ向って後退した状態で、前記収納ケースの下端部が前記設置面に着座することを特徴とする盗難防止装置。
【請求項２】
前記収納ケースを、前記設置面に固定できる固定手段を備えることを特徴とする請求項１に記載の盗難防止装置。
【請求項３】
前記固定手段が、前記設置面に直立姿勢で固定され前記収納ケースの下端部を貫通できるアンカーボルトと、該アンカーボルトに螺合できるナットとを備え、
前記複数の車輪が前記収納ケースの下端部の下方へ前進した状態で、前記収納ケースはその下端部が前記車輪によって前記アンカーボルトより高くなる位置に支持され、前記複数の車輪が前記収納ケースの下端部へ向って後退した状態で、前記アンカーボルトが、前記収納ケースの下端部を貫通して前記収納ケースの内部まで達し、前記ナットが、前記収納ケースの内部から、前記アンカーボルトに締付けられることを特徴とする請求項２に記載の盗難防止装置。
【請求項４】
前記固定手段が、前記設置面に形成され内側に爪を設けた凹部と、
前記収納ケースの下端部に接続され前記凹部に嵌入できる凸型鉤と、
前記収納ケースの内部からの操作により、前記凹部の爪に前記凸型鉤を掛止し、又は前記凹部から前記凸型鉤が離脱するのを許容するロック手段とを備え、
前記複数の車輪が前記収納ケースの下端部の下方へ前進した状態で、前記凸型鉤が前記凹部から離脱し、前記複数の車輪が前記収納ケースの下端部へ向って後退した状態で、前記凹部に前記凸型鉤が嵌入することを特徴とする請求項２に記載の盗難防止装置。
【請求項５】
前記固定手段が、末広形の吸引部を前記収納ケースの下方へ向けた弾性吸盤と、前記収納ケースの内部からの操作により前記吸引部に空気を導入できる開閉弁とを備え、
前記複数の車輪が前記収納ケースの下端部の下方へ前進した状態で、前記弾性吸盤が前記設置面の上方に位置し、前記複数の車輪が前記収納ケースの下端部へ向って後退した状態で、前記弾性吸盤の吸引部が前記設置面に押付けられることにより、前記吸引部が前記設置面を吸引することを特徴とする請求項２に記載の盗難防止装置。
【請求項６】
前記固定手段が、前記収納ケースの下端部、又は前記設置面の何れか一方に設けられた磁性体から成る被着材と、前記収納ケースの下端部、又は前記設置面の何れか他方に設けられた磁石とを備え、
前記複数の車輪が前記収納ケースの下端部の下方へ前進した状態で、前記被着材が前記磁石から隔たり、前記複数の車輪が前記収納ケースの下端部へ向って後退した状態で、前記被着材が前記磁石に吸引されることを特徴とする請求項２に記載の盗難防止装置。
【請求項７】
前記車輪進退手段が、前記車輪を転動自在に支持する軸受手段と、該軸受手段を前記収納ケースに対して昇降自在に案内する案内手段と、前記軸受手段に螺合する送りねじとを備えることを特徴とする請求項１乃至６の何れかに記載の盗難防止装置。
【請求項８】
前記車輪進退手段が、前記車輪を転動自在に支持する軸受手段と、該軸受手段が接続された作動ロッドを上下方向に進退させる流体圧シリンダとを備えることを特徴とする請求項１乃至６の何れかに記載の盗難防止装置。
【発明の詳細な説明】
【技術分野】
【０００１】
本発明は、例えば金庫、現金自動預け払い機（ＡＴＭ）又は、什器等に設けられる盗難防止装置に関する。
【背景技術】
【０００２】
上記の金庫等の盗難防止策として、金庫等に警報装置を取り付け、金庫等が不当に開放された場合、又は金庫等が不当に移動された場合に警報を発し、或いはこのような事態を警備会社に通報することが知られている。この場合、警報又は通報があってから警備員等が駆け付けるまでの間に、金庫等がそのまま持ち去られることがある。そこで、下記の特許文献に開示されているように、金庫等を設置する床にアンカーボルトを設け、このアンカーボルトに金庫等を固定することが試みられている。
【特許文献１】特願２００２−２２５９５８号公報
【特許文献２】特願２００３−６４９４７号公報
【特許文献３】特開２００４−１５０２３４号公報
【発明の開示】
【発明が解決しようとする課題】
【０００３】
しかしながら、上記のように金庫を床に強固に固定しても、金庫等の下端部と床面との隙間から切断用工具が差し込まれて、上記のアンカーボルトが切断される恐れがある。また、このような隙間を塞ぐために、金庫等をカバーで覆った場合、金庫等の設置場所を変更する度に、カバーを取り外さなければならない。
【０００４】
本発明は、以上の問題に鑑みて成されたものであり、その目的とするところは、取扱いが容易で、しかも金庫等の持ち去りを阻止できる盗難防止装置を提供することにある。
【課題を解決するための手段】
【０００５】
本発明に係る盗難防止装置は、下端部を有し、開錠により内部を開放できる収納ケースを、該収納ケースが設置される設置面に滑走自在に支持する複数の車輪と、前記複数の車輪を、前記収納ケースの下端部の下方へ前進、又は前記下端部へ向けて後退させる車輪進退手段とを備え、前記複数の車輪が前記収納ケースの下端部の下方へ前進した状態で、前記収納ケースが前記複数の車輪によって前記設置面の上方に支持され、前記複数の車輪が前記収納ケースの下端部へ向って後退した状態で、前記収納ケースの下端部が前記設置面に着座することを特徴とする。
【０００６】
更に、本発明に係る盗難防止装置は、前記収納ケースを、前記設置面に固定できる固定手段を備えることを特徴とする。
【０００７】
前記固定手段は、前記設置面に直立姿勢で固定され前記収納ケースの下端部を貫通できるアンカーボルトと、該アンカーボルトに螺合できるナットとを備え、前記複数の車輪が前記収納ケースの下端部の下方へ前進した状態で、前記収納ケースはその下端部が前記車輪によって前記アンカーボルトより高くなる位置に支持され、前記複数の車輪が前記収納ケースの下端部へ向って後退した状態で、前記アンカーボルトが、前記収納ケースの下端部を貫通して前記収納ケースの内部まで達し、前記ナットが、前記収納ケースの内部から、前記アンカーボルトに締付けられることを特徴とする。
【０００８】
或いは、前記固定手段は、前記設置面に形成され内側に爪を設けた凹部と、前記収納ケースの下端部に接続され前記凹部に嵌入できる凸型鉤と、前記収納ケースの内部からの操作により、前記凹部の爪に前記凸型鉤を掛止し、又は前記凹部から前記凸型鉤が離脱するのを許容するロック手段とを備え、前記複数の車輪が前記収納ケースの下端部の下方へ前進した状態で、前記凸型鉤が前記凹部から離脱し、前記複数の車輪が前記収納ケースの下端部へ向って後退した状態で、前記凹部に前記凸型鉤が嵌入することを特徴とする。
【０００９】
或いは、前記固定手段は、末広形の吸引部を前記収納ケースの下方へ向けた弾性吸盤と、前記収納ケースの内部からの操作により前記吸引部に空気を導入できる開閉弁とを備え、前記複数の車輪が前記収納ケースの下端部の下方へ前進した状態で、前記弾性吸盤が前記設置面の上方に位置し、前記複数の車輪が前記収納ケースの下端部へ向って後退した状態で、前記弾性吸盤の吸引部が前記設置面に押付けられることにより、前記吸引部が前記設置面を吸引することを特徴とする。
【００１０】
或いは、前記固定手段は、前記収納ケースの下端部、又は前記設置面の何れか一方に設けられた磁性体から成る被着材と、前記収納ケースの下端部、又は前記設置面の何れか他方に設けられた磁石とを備え、前記複数の車輪が前記収納ケースの下端部の下方へ前進した状態で、前記被着材が前記磁石から隔たり、前記複数の車輪が前記収納ケースの下端部へ向って後退した状態で、前記被着材が前記磁石に吸引されることを特徴とする。
【００１１】
また、本発明に係る盗難防止装置は、前記車輪進退手段が、前記車輪を転動自在に支持する軸受手段と、該軸受手段を前記収納ケースに対して昇降自在に案内する案内手段と、前記軸受手段に螺合する送りねじとを備えることを特徴とする。或いは、前記車輪進退手段は、前記車輪を転動自在に支持する軸受手段と、該軸受手段が接続された作動ロッドを上下方向に進退させる流体圧シリンダとを備えることを特徴とする。
【発明の効果】
【００１２】
本発明に係る盗難防止装置によれば、複数の車輪を収納ケースの下端部の下方へ前進させると、収納ケースは、これが設置されるべき設置面に対して複数の車輪によって支持されることになる。この状態で、収納ケースは設置面上を自在に滑走させられるので、例えば設置面の何処かに定められる設置場所まで、収納ケースを容易に移送することができる。このような設置場所に収納ケースを固定する場合、複数の車輪を収納ケースの下端部へ向けて後退させると、収納ケース全体が設置面に対して下降することになる。更に、収納ケースは、以下に例示の固定手段によって設置面に固定される。
【００１３】
即ち、固定手段が、収納ケースの下端部を貫通できるアンカーボルトと、このアンカーボルトに螺合できるナットとを備える場合、アンカーボルトを設置場所に予め配置する一方、複数の車輪を収納ケースの下端部の下方へ前進させると、収納ケースはその下端部が車輪によってアンカーボルトより高くなる位置に支持される。この状態で、収納ケースを設置面に滑走させつつ設置場所まで移送しても、その途中で収納ケースがアンカーボルトに引っ掛かることがない。更に、設置場所にて、複数の車輪を収納ケースの下端部へ向けて後退させる。これにより、アンカーボルトの上方に位置する収納ケース全体が下降するので、アンカーボルトは、収納ケースの下端部を貫通して、収納ケースの内部まで達する。同時に、収納ケースの下端部が設置面に着座する。この状態で、アンカーボルトに収納ケースの内部からナットを締付けると、収納ケースを設置面に固定することができる。
【００１４】
また、収納ケースを設置場所から他所へ移送する場合、収納ケースの内部を開放し、ナットをアンカーボルトから取り外す。更に、複数の車輪を収納ケースの下端部から再び下方へ前進させると、収納ケースはその下端部がアンカーボルトより高くなる位置に復帰する。この状態で、アンカーボルトが収納ケースの下端部から抜け出すので、収納ケースは設置面を自在に滑走することができる。
【００１５】
或いは、固定手段が、内側に爪を設けた凹部と、収納ケースの下端部に接続された凸型鉤と、凹部に凸型鉤を掛止し又は凹部から凸型鉤が離脱するのを許容するロック手段とを備える場合、凹部を設置場所に予め形成する一方、複数の車輪を収納ケースの下端部の下方へ前進させると、凸型鉤が設置面の上方に位置することになる。この状態で、収納ケースを設置面に滑走させつつ設置場所まで移送し、設置場所にて凸型鉤が凹部の真上に重なったところで、複数の車輪を収納ケースの下端部へ向けて後退させる。これにより、収納ケース全体の下降に伴って凸型鉤が凹部に嵌入し、凹部の爪に凸型鉤が掛止されるので、収納ケースは設置面に固定される。
【００１６】
また、収納ケースを設置場所から他所へ移送する場合、収納ケースの内部を開放し、凹部から凸型鉤が離脱するのを許容するように、ロック手段を収納ケースの内部から操作する。更に、複数の車輪を収納ケースの下端部から再び下方へ前進させると、収納ケースは凸型鉤が設置面の上方に位置する高さまで復帰する。これにより、凹部から凸型鉤が離脱するので、収納ケースは設置面を自在に滑走することができる。
【００１７】
或いは、固定手段が、末広形の吸引部を下方へ向けた弾性吸盤と、吸引部に空気を導入できる開閉弁とを備える場合、複数の車輪を収納ケースの下端部の下方へ前進させると、弾性吸盤が設置面の上方に位置することになる。この状態で、収納ケースを設置面に滑走させつつ設置場所まで移送できる。更に、複数の車輪を収納ケースの下端部へ向けて後退させると、収納ケース全体の下降に伴って吸引部が設置面に押付けられて、吸引部から空気が排除される。これにより、吸引部が設置面を吸引するので、収納ケースが設置面に固定される。
【００１８】
また、収納ケースを設置場所から他所へ移送する場合、収納ケースの内部を開放し、開閉弁を収納ケースの内部から操作して、吸引部に空気を導入すると、弾性吸盤が設置面を吸引する力が途絶える。更に、複数の車輪を収納ケースの下端部から再び下方へ前進させると、収納ケースは弾性吸盤が設置面の上方に位置する高さまで復帰する。この状態で、収納ケースは設置面を自在に滑走することができる。
【００１９】
或いは、固定手段が、収納ケースの下端部、又は設置面の何れか一方に設けられた磁性体から成る被着材と、収納ケースの下端部、又は設置面の何れか他方に設けられた磁石とを備える場合、複数の車輪を収納ケースの下端部の下方へ前進させると、被着材が磁石から隔たることになる。この状態で、収納ケースを設置面に滑走させつつ設置場所まで移送することができる。更に、複数の車輪を収納ケースの下端部へ向けて後退させると、収納ケース全体が下降する。これにより、被着材が磁石に吸引されるので、収納ケースは設置面に固定される。
【００２０】
以上に述べ通り、収納ケースは、その下端部を設置面に着座させた状態で、固定手段によって設置面に固定されるので、収納ケースの下端部と設置面との間に切断用工具を差し込まれる余地がなく、固定手段の破壊を阻止することができる。しかも、上記のようなナットのアンカーボルトからの取り外し、ロック手段の操作、又は開閉弁の操作は、収納ケースの内部からしか行えないので、収納ケースの内部を開錠により開放しない限り、固定手段を解除することはできない。
【００２１】
従って、本発明に係る盗難防止装置によれば、収納ケースを設置面に固定手段によって固定すると、この収納ケースが不当な手段によって持ち去られるのを確実に阻止することができる。しかも、開錠により収納ケースを正しく開放し、固定手段を解除すれば、収納ケースの移送、設置、又は撤去の作業を容易に行うことができる。
【００２２】
更に、本発明に係る盗難防止装置によれば、車輪進退手段が、車輪を転動自在に支持する軸受手段に、送りねじを螺合しているので、例えば手動又は回転機を用いる等して送りねじを回転させると、車輪は、軸受手段と共に案内手段によって、収納ケースに対して昇降する方向へ案内される。これにより、車輪は収納ケースの下端部の下方へ前進、又は下端部へ向って後退する。しかも、送りねじを回転させない限り、軸受手段が車輪と共に昇降することはないので、収納ケースに対して車輪の位置を保持するようなロック機構を付加する必要がなく、極めて簡単な構造で車輪の昇降動作を実現することができる。
【００２３】
更に、本発明に係る盗難防止装置によれば、車輪進退手段が、車輪を転動自在に支持する軸受手段を、流体圧シリンダの作動ロッドに接続しているので、流体圧シリンダの伸縮に従って軸受手段が車輪と共に進退する。これにより、車輪は、収納ケースの下端部の下方へ前進、又は下端部へ向って後退する。また、車輪を収納ケースの下端部の下方へ前進させるときのみ、例えば、コンプレッサ又は油圧ポンプ等から圧縮空気を流体圧シリンダへ供給して同シリンダを伸長させれば足り、車輪を収納ケースの下端部へ向けて後退させる際には、上記の圧縮空気の供給を断つだけで、流体圧シリンダは収納ケースの荷重により短縮する。従って、収納ケースを移送するときのみコンプレッサ又は油圧ポンプ等を準備すれば良く、当該車輪進退手段を極めて簡単に構成することができる。
【発明を実施するための最良の形態】
【００２４】
本発明の実施形態に係る盗難防止装置を図面に基づき説明する。以下で、金庫、又は現金自動預け払い機の現金保管箱、その他、あらゆる物品を収納できる種々の什器を総称して「収納ケース」と記す。また、個々の実施例に共通の要素は、図中に同じ符号を付しその図示又は説明を省略する。
【実施例１】
【００２５】
図１に示すように、盗難防止装置１０は、収納ケース１を設置面２に対して滑走自在に支持できる複数の車輪３と、複数の車輪３を収納ケース１の下端部４の下方へ前進させ、又は下端部４へ向けて後退させる車輪進退手段５と、収納ケース１を設置面２に固定する固定手段６とを備える。
【００２６】
収納ケース１は、図に表れていない扉又は蓋を有し、鍵又は暗証番号に基づいてのみ、上記の扉又は蓋を開いて内部１１を開放できる。収納ケース１の下端部４は、収納ケース１の下端の周縁、及び底面部を含めた部位である。固定手段６は、設置面２に直立姿勢で固定され下端部４に形成された貫通孔４１を貫通できるアンカーボルト６１と、アンカーボルト６１に螺合できるナット６２とを組合せたものである。
【００２７】
車輪３は、図中に２個だけ表れているが、実際には、収納ケース１は、奥行き寸法を有する箱体であるので、図中の２個の車輪３の奥方に重なる位置に、別の車輪３が各々設けられており、収納ケース１は合計４個の車輪３、及び４体の車輪進退手段５を有する。また、収納ケース１の大きさ等を考慮して、収納ケース１に設ける車輪３の個数を増減しても良い。
【００２８】
図２に示す車輪進退手段５は、車輪３を転動自在に支持する軸受手段５１と、軸受手段５１を矢印Ｚ方向に案内する案内手段５２と、軸受手段５１に直立した姿勢で螺合する送りねじ５３とを備える。図１及び図２に記した矢印Ｚは、収納ケース１に対して車輪３が進退する上下方向を指している。軸受手段５１は、車輪３を支持するブラケットであり、その上端にナット５１１を接合している。送りねじ５３は、ナット５１１を貫いて形成された雌ねじ５１２に螺合し、その上端を収納ケース１の上面付近まで延出している。
【００２９】
更に、送りねじ５３の上端には、六角頭部５３１が形成されている。六角頭部５３１に、収納ケース１の上面側からレンチ等を掛止すれば、このレンチ等を用いて送りねじ５３を回転させられる。この他、収納ケース１にモータ等の回転機を取付け、同回転機によって送りねじ５３を回転させても良い。この場合、回転機の電源は、収納ケース１の外部から必要時に供給しても良いが、収納ケース１の内部１１に蓄電池を設けても良い。
【００３０】
案内手段５２は、収納ケース１の側部に配置された筒型ハウジングを主体とし、その内部に嵌入したナット５１１の昇降は許容するが、ナット５１１が送りねじ５３の周りに回転できないように、ナット５１１を規制する。従って、上記のレンチ、又は回転機を用いる等して送りねじ５３を回転させると、車輪３が収納ケース１の下端部４の下方へ前進、又は下端部４へ向って後退する。つまり、収納ケース１に対して車輪３が相対的に昇降する。また、車輪進退手段５は、送りねじ５３を回転させない限り、車輪３は軸受手段５１と共に昇降することはないので、案内手段５２に対して車輪３の位置を保持するようなロック機構を付加する必要がない。
【００３１】
例えば、設置面２の何処かに定められる設置場所に収納ケース１を固定する場合、先ずは、アンカーボルト６１を設置場所に予め配置する。一方、総ての車輪３を下端部４の下方へ前進させると、収納ケース１はその下端部４が車輪３によってアンカーボルト６１より高くなる位置に支持される。このため、収納ケース１を設置場所まで移送する途中で、下端部４がアンカーボルト６１に引っ掛かることはない。
【００３２】
更に、設置場所にて、総ての車輪３を下端部４へ向けて後退させることにより、総ての車輪３を下端部４に没入させる。これにより、アンカーボルト６１の上方に位置する収納ケース１の全体が下降するので、アンカーボルト６１は、下端部４の貫通孔４１を貫通して、収納ケース１の内部１１まで達する。同時に、下端部４が設置面２に着座することになる。この状態で、アンカーボルト６１に収納ケース１の内部１１からナット６２を締付けると、収納ケース１が設置面２に固定される。最後に、収納ケース１の扉又は蓋を閉じる。
【００３３】
また、収納ケース１を設置場所から撤去する場合、先ずは収納ケース１の内部１１を開錠により開放し、ナット６２をアンカーボルト６１から取り外す。更に、総ての車輪３を下端部４から再び下方へ前進させると、収納ケース１は、下端部４がアンカーボルト６１より高くなる位置に復帰する。この状態で、アンカーボルト６１が下端部４の貫通孔４１から抜け出すので、収納ケース１は設置面２を自在に滑走できる。従って、収納ケース１の移送、又は撤去の作業を容易に行うことができる。
【００３４】
或いは、車輪進退手段５として、図３に示すような流体圧シリンダ５４を適用しても良い。流体圧シリンダ５４としては、周知の油圧シリンダ、又はエアシリンダ等をそのまま適用できる。この場合、軸受手段５１を、流体圧シリンダ５４の作動ロッド５５に接続し、例えばコンプレッサ又は油圧ポンプ等から、圧縮空気又は油圧を流体圧シリンダ５４へ供給して、作動ロッド５５を矢印Ｚで指した上下方向に進退させると、流体圧シリンダ５４の全体が伸縮する。これに従って軸受手段５１が進退するので、軸受手段５１と共に車輪３が、下端部４の下方へ前進し、又は下端部４に没入する位置まで後退する。また、車輪３を下端部４から下方へ前進させるときのみ、流体圧シリンダ５４を伸長させれば足り、車輪３を下端部４に没入させる際には、上記の圧縮空気又は油圧の供給を断つだけで、流体圧シリンダ５４は収納ケース１の全体の荷重により短縮する。
【実施例２】
【００３５】
図４に示すように、本実施例に適用した固定手段７は、設置面２に形成され内側に爪７１を設けた凹部７２と、下端部４に接続され凹部７２に嵌入できる円柱状の凸型鉤７３と、収納ケース１の内部１１から操作できる後述のロック手段７４とを備える。
【００３６】
ロック手段７４は、図５に示すように、凸型鉤７３の胴部周面の一箇所に割付けられた段部であり、凹部７２の爪７１を掛止できる。凸型鉤７３の上端には細溝７６が形成されている。細溝７６にマイナス形のドライバ等を差込み、同ドライバ等を回転させると、凸型鉤７３はその周方向に回転できるように、下端部４に軸受けされている。同図（ａ）に示すように、凸型鉤７３をその周方向に回転させて、ロック手段７４を爪７１の位置から逸らせると、爪７１を上下方向に逃がす隙間７７が、凹部７２と凸型鉤７３の間にできる。この状態で、凹部７２に凸型鉤７３が嵌入する事、又は凹部７２に一旦嵌入した凸型鉤７３が凹部７２から離脱する事の何れもが許容される。
【００３７】
設置面２に収納ケース１を固定する場合、先ずは、図４に示すように凹部７２を収納ケース１の設置面２に予め形成する。一方、総ての車輪３を下端部４の下方へ前進させることにより、凸型鉤７３を設置面２の上方に位置させる。この状態で、収納ケース１を設置面２に滑走させつつ設置場所まで移送する。
【００３８】
更に、設置場所にて、収納ケース１の位置が、凹部７２の真上に凸型鉤７３が重なるよう定まったところで、総ての車輪３を下端部４に没入させる。これにより、収納ケース１の全体の下降に伴って、図５（ａ）に示すように、凸型鉤７３が凹部７２に没入する。この状態で、同図（ｂ）に示すように、爪７１とロック手段７４との位置が合致するように凸型鉤７３をその周方向に回転させると、爪７１に凸型鉤７３が掛止めされ、収納ケース１が設置面２に固定される。最後に、収納ケース１の扉又は蓋を閉じる。
【００３９】
また、収納ケース１を設置場所から撤去する場合、収納ケース１の内部１１を開放し、上記のドライバ等を用いて凸型鉤７３を回転させることにより、凸型鉤７３を図５（ａ）の状態に戻す。更に、総ての車輪３を下端部４から再び下方へ前進させると、収納ケース１は凸型鉤７３が設置面２の上方に位置する高さまで復帰する。これにより、図４に示すように、凹部７２の爪７１から凸型鉤７３が離脱するので、収納ケース１は設置面２を自在に滑走することができる。
【００４０】
また、図６に示すように、爪７１の先端７１１と、凸型鉤７３のロック手段７４の真下の部分７３１とを、互いに滑り接触できる傾斜面とし、爪７１をコイルばね７８により凹部７２の内方へ向って常時押付けても良い。この場合、爪７１とロック手段７４との位置が合致したままでも、凹部７２に凸型鉤７３を嵌入することができる。
【実施例３】
【００４１】
図７に示すように、本実施例に適用した固定手段８は、末広形の吸引部８１を下端部４の下方へ向けた弾性吸盤８２と、収納ケース１の内部１１からの操作により吸引部８１に空気を導入できる開閉弁８３とを備える。
【００４２】
この場合、総ての車輪３を下端部４の下方へ前進させると、弾性吸盤８２が設置面２の上方に位置することになる。この状態で、収納ケース１を設置面２に滑走させつつ設置場所まで移送することができる。更に、総ての車輪３を下端部４に没入させると、収納ケース１の全体の下降に伴って吸引部８１が設置面２に押付けられて、吸引部８１から空気が排除される。これにより、吸引部８１が設置面２を吸引するので、収納ケース１が設置面２に固定される。最後に、収納ケース１の扉又は蓋を閉じる。
【００４３】
図中の符号８５は表面の滑らかな鉄板である。これは、設置面２が例えばコンクリートの床である場合に、吸引部８１の密着性を向上するためである。更に、鉄板８５をコンクリートの鉄筋に接合し、設置面２と鉄板８５との固定強度を向上させても良い。
【００４４】
また、収納ケース１を設置場所から撤去する場合、収納ケース１の内部１１を開放し、開閉弁８３を収納ケース１の内部１１から操作して、吸引部８１に空気を導入すると、弾性吸盤８２が設置面２を吸引する力が途絶える。更に、総ての車輪３を下端部４から再び下方へ前進させると、収納ケース１は弾性吸盤８２が設置面２の上方に位置する高さまで復帰する。この状態で、収納ケース１は設置面２を自在に滑走することができる。
【実施例４】
【００４５】
図８に示すように、本実施例に適用した固定手段９は、下端部４に設けられた鉄板等の磁性体から成る被着材９１と、設置面２に設けられた磁石９２とを備える。或いは、図９に示すように、設置面２に被着材９１を設け、下端部４に磁石９２を設けても良い。また磁石９２として永久磁石、又は電気磁石の何れを適用しても良い。
【００４６】
この場合、総ての車輪３を下端部４の下方へ前進させると、収納ケース１の上昇に伴って被着材９１が磁石９２から隔たることになる。この状態で、収納ケース１を設置面２に滑走させつつ設置場所まで移送することができる。更に、総ての車輪３を下端部４に没入させると、収納ケース１の全体が下降する。これにより、被着材９１が磁石９２に吸引されるので、収納ケース１は設置面２に固定される。最後に、収納ケース１の扉又は蓋を閉じる。
【００４７】
以上の実施例１〜４に述べ通り、収納ケース１は、その下端部４を設置面２に着座させた状態で、設置面２に固定されるので、下端部４と設置面２との間に切断用工具が差し込まれる余地を無くし、固定手段６〜９の破壊を阻止することができる。しかも、記述のナット６２のアンカーボルト６１からの取り外し、ロック手段７４の操作、又は開閉弁８３の操作は、収納ケース１の内部１１からしか行えないので、収納ケース１の内部１１を開錠により正しく開放しない限り、固定手段６〜９を解除することはできない。
【００４８】
尚、本発明は、その趣旨を逸脱しない範囲で当業者の知識に基づいて種々なる改良、修正、変形を加えた態様で実施できる。例えば、１個の車輪３に対して１体の車輪進退手段５を設ける必要はなく、２個以上の車輪３を１体の車輪進退手段によって昇降させても良い。また、個々の実施例の中で、車輪３を下端部４に完全に没入する例を示したが、下端部４の真下の設置面２が凸面又は盛り上がった形状である場合には、車輪３を下端部４に完全に没入しなくても、車輪３を下端部４へ向けて僅かに後退させるだけで、このような設置面２に下端部４を着座させることができる。
【００４９】
また、収納ケース１が重量物である場合、設置面２に下端部４を着座させた状態で、収納ケース１を設置面２の上で引き摺ろうとすると、これらの間に大きな摩擦力が発生するので、固定手段６〜９を省略しても、収納ケース１の持ち去りを阻止できる。また、固定手段の他の例として、図１０に示すように、収納ケース１の内部１１から設置面２に打ち込みできるタッピングボルト６０を適用しても良い。
【産業上の利用可能性】
【００５０】
本発明は、上記例示のあらゆる収納ケースの盗難を防止し、また収納ケースの移送の便宜を向上するのに有益な技術である。
【図面の簡単な説明】
【００５１】
【図１】（ａ）は本発明の実施例1に係る盗難防止装置の移送過程を示す断面図、（ｂ）はその設置例を示す断面図。
【図２】本発明の実施例１に係る盗難防止装置に適用した車輪進退手段の断面図。
【図３】本発明の実施例１に係る盗難防止装置に適用した車輪進退手段の変形例の側面図。
【図４】は本発明の実施例２に係る盗難防止装置の移送過程を示す断面図
【図５】（ａ）は本発明の実施例２に係る盗難防止装置に適用した固定手段の動作の一例を示す断面図、（ｂ）はその動作の他例を示す断面図、（ｃ）はその要部の平面図。
【図６】（ａ）は本発明の実施例２に係る盗難防止装置に適用した固定手段の変形例を示す断面図、（ｂ）はそのＡ−Ａ断面に表れる爪の平面図、（ｃ）は凸型鉤のＡ−Ａ断面図。
【図７】（ａ）は本発明の実施例３に係る盗難防止装置の要部の断面図、（ｂ）はその使用過程を示す断面図。
【図８】本発明の実施例４に係る盗難防止装置の要部の断面図。
【図９】本発明の実施例４に係る盗難防止装置の要部の変形例を示す断面図。
【図１０】本発明に係る盗難防止装置に適用した固定手段の更なる変形例を示す断面図。
【符号の説明】
【００５２】
１：収納ケース
２：設置面
３：車輪
４：下端部
５：車輪進退手段
６，７，８，９：固定手段
１０：盗難防止装置
１１：内部
５１：軸受手段
５２：案内手段
５３：送りねじ
５４：流体圧シリンダ
５５：作動ロッド
６１：アンカーボルト
６２：ナット
７１：爪
７２：凹部
７３：凸型鉤
７４：ロック手段
８１：吸引部
８２：弾性吸盤
８３：開閉弁
９１：被着材
９２：磁石
【図１】
2006089993.tif 000003
【図２】
2006089993.tif 000004
【図３】
2006089993.tif 000005
【図４】
2006089993.tif 000006
【図５】
2006089993.tif 000007
【図６】
2006089993.tif 000008
【図７】
2006089993.tif 000009
【図８】
2006089993.tif 000010
【図９】
2006089993.tif 000011
【図１０】
2006089993.tif 000012